(57)【要約】  溶接システムの診断を容易にするためのシステムおよび方法を提供する。本システムは、溶接機（１１０、２１０、５１０、６１０）、ローカルシステム（５８０）、リモートシステム（１６０、６４０）、および／または警報コンポーネント（２９０、６７０）を含む。本方法においては、センサ入力を受信するステップ、試験シーケンスをセンサ入力に少なくとも部分的に基づいてパフォームするステップ、および／または、内部診断を行うステップを備える。溶接機（１１０、２１０、５１０、６１０）の健康ステータスが判断され、ローカルシステム（５８０）、リモートシステム（１６０、６４０）、および／または警報コンポーネント（２９０、６７０）に通信される。エキスパートコンポーネント（５９２、６４２）が、溶接機（１１０、２１０、５１０、６１０）の健康ステータス、溶接機データ（１２８、５２０、６２４）、エキスパートデータストア（５９４）、ローカルサービスサポートデータストア（５８６）、リモートエキスパートデータストア（５９８、６５０）、および／またはリモートサービスサポートデータストア（５９６、６６０）に少なくとも部分的に基づいて、溶接診断を容易にするため、使用される。さらに、対策を、溶接機（１１０、２１０、５１０、６１０）、ローカルシステム、および／またはリモートシステム（１６０、６４０）によって、少なくとも一時的に、溶接機（１１０、２１０、５１０、６１０）の健康ステータスに少なくとも部分的に基づいて、開始することができる。
2005515894.tif 000002
【特許請求の範囲】
【請求項１】
溶接機（１１０、２１０、５１０、６１０）のオペレーションと、溶接の特性とのうちの少なくとも一方に関連付けされた情報を受信するようにしたセンサコンポーネント（１３０、２３０、５３８、６１２）と、
前記センサコンポーネント（１３０、２３０、５３８、６１２）からの情報を受信するようにし、しかも溶接機の診断を容易にするための少なくとも１つの試験シーケンスを、前記センサコンポーネント（１３０、２３０、５３８、６１２）から受信された情報に少なくとも部分的に基づいて実行するようにした制御コンポーネント（１４０、２４０、５３６、６１４）と、
溶接機内部診断を行うようにし、しかも前記センサコンポーネント（１３０、２３０、５３８、６１２）と、前記制御コンポーネント（１４０、２４０、５３６、６１４）のうちの少なくとも一方からの情報を受信するようにした診断コンポーネント（１５０、５３４、６１６）と
を備え、
前記診断コンポーネント（１５０、５３４、６１６）は、溶接機（１１０、２１０、５１０、６１０）の健康ステータスを、前記センサコンポーネント（１３０、２３０、５３８、６１２）と、前記制御コンポーネント（１４０、２４０、５３６、６１４）と、前記溶接機内部診断とのうちの少なくとも一方から受信された情報に少なくとも部分的に基づいて判断し、
前記診断コンポーネント（１５０、５３４、６１６）は、前記溶接機（１１０、２１０、５１０、６１０）の前記健康ステータスに関連付けされた情報をリモートシステム（１６０、６４０）に送信する
ことを特徴とする溶接システム。
【請求項２】
請求項１において、前記溶接機（１１０、２１０、５１０、６１０）と前記リモートシステム（１６０、６４０）の間で、dynamic ＨＴＭＬと、ＨＴＭＬと、ＳＨＴＭＬと、ＶＢ（登録商標）スクリプトと、ＪＡＶＡ（登録商標）と、ＣＧＩスクリプトと、ＪＡＶＡ（登録商標）スクリプトと、dynamic ＨＴＭＬと、ＰＰＰと、ＲＰＣと、ＴＥＬＮＥＴと、ＴＣＰ／ＩＰと、ＦＴＰと、ＡＳＰと、ＸＭＬと、ＰＤＦと、ＥＤＩと、ＷＭＬフォーマットのうちの少なくとも１つにより通信を容易にする通信コンポーネント（１９０、２７０、５３２、６１８）をさらに備えたことを特徴とする溶接システム。
【請求項３】
請求項２において、前記通信コンポーネント（１９０、２７０、５３２、６１８）は、前記溶接機（１１０、２１０、５１０、６１０）の前記健康ステータスに関連付けされた少なくとも１つのＨＴＭＬページを動的に作成することを特徴とする溶接システム。
【請求項４】
請求項１において、前記センサコンポーネント（１３０、２３０、５３８、６１２）は、前記溶接機（１１０、２１０、５１０、６１０）のオペレーションと溶接の特性とのうちの少なくとも一方に関連付けされた情報を、試験装置（１８０、５７０、６３０、７３０）とモニタリング装置（１７０、５５０、６２０、７２０）のうちの少なくとも一方から受信するようにしたことを特徴とする溶接システム。
【請求項５】
請求項４において、前記制御コンポーネント（１４０、２４０、５３６、６１４）は、前記試験装置（１８０、５７０、６３０、７３０）とモニタリング装置（１７０、５５０、６２０、７２０）のうちの少なくとも一方に情報を送信し、溶接機の診断を容易にするようにしたことを特徴とする溶接システム。
【請求項６】
請求項４において、前記試験装置（１８０、５７０、６３０、７３０）は、抵抗計と、電圧計と、電流計とのうちの少なくとも１つであることを特徴とする溶接システム。
【請求項７】
請求項４において、前記モニタリング装置（１７０、５５０、６２０、７２０）は、デジタルカメラとストリーミングビデオカメラのうちの少なくとも一方であることを特徴とする溶接システム。
【請求項８】
請求項１において、溶接診断リソースへのリンクを格納するＷｅｂページデータベース（１２４）をさらに備えたことを特徴とする溶接システム。
【請求項９】
請求項１において、溶接機製造番号と、溶接機型式番号と、溶接機組付日と、溶接機ソフトウェアバージョン識別子と、コンポーネント部品識別子と、コンポーネントバージョン識別子と、コンポーネントソフトウェアバージョン識別子とのうちの少なくとも１つを格納する溶接機データストア（１２８、５２０、６２４）をさらに備えたことを特徴とする溶接システム。
【請求項１０】
請求項１において、前記溶接機（１１０、２１０、５１０、６１０）と前記リモートシステム（１６０、６４０）は、ローカルネットワークと、エクストラネットと、Internetのうちの少なくとも１つを介して動作可能に結合されることを特徴とする溶接システム。
【請求項１１】
請求項１において、前記溶接機（１１０、２１０、５１０、６１０）は、Ｗｅｂサーバと、ＨＴＴＰサーバと、ＳＭＴＰサーバとのうちの少なくとも１つをさらに備えたことを特徴とする溶接システム。
【請求項１２】
請求項１において、前記溶接機（１１０、２１０、５１０、６１０）は、前記溶接機（１１０、２１０、５１０、６１０）の前記健康ステータスに関連付けされたメッセージを、前記リモートシステム（１６０、６４０）に、ボイスメールと、emailと、電話と、ポケットベルとのうちの少なくとも１つを介して送信することを特徴とする溶接システム。
【請求項１３】
請求項１２において、警報状態をレポートすることを容易にするイベントコンポーネント（２５０）をさらに備え、
前記メッセージは、前記警報状態に関連付けされた情報をさらに備えた
ことを特徴とする溶接システム。
【請求項１４】
請求項１３において、前記イベントコンポーネントは、さらに、前記警報状態に関連付けされた情報をイベントログ（２６０、５２２、６２６）に格納することを特徴とする溶接システム。
【請求項１５】
請求項１２において、前記メッセージの通信に関連付けされた情報を格納する通信データストア（２７２）をさらに備え、
前記通信データストア（２７２）は、電話番号と、emailアドレスと、ポケットベル番号とのうちの少なくとも１つを有する
ことを特徴とする溶接システム。
【請求項１６】
請求項１において、前記溶接機（１１０、２１０、５１０、６１０）は、メンテナンスをスケジュールするためのリクエストを、前記リモートシステム（１６０、６４０）に、ボイスメールと、emailと、電話と、ポケットベルとのうちの少なくとも１つを介して送信することを特徴とする溶接システム。
【請求項１７】
溶接システムの診断を容易にするシステムであって、
ローカルシステム（５８０）との通信を容易にするネットワークインタフェース（１６２、２２２、５１２、６８０）を有する溶接機（１１０、２１０、５１０、６１０）と、
前記溶接機（１１０、２１０、５１０、６１０）のオペレーションと、溶接の特性とのうちの少なくとも一方に関連付けされた情報を受信するようにしたセンサコンポーネント（１３０、２３０、５３８、６１２）と、
前記センサコンポーネント（１３０、２３０、５３８、６１２）からの情報を受信するようにし、しかも溶接機の診断を容易にするための少なくとも１つの試験シーケンスを、前記センサコンポーネント（１３０、２３０、５３８、６１２）から受信された情報に少なくとも部分的に基づいて実行するようにした制御コンポーネント（１４０、２４０、５３６、６１４）と、
溶接機内部診断を行うようにし、しかも前記センサコンポーネント（１３０、２３０、５３８、６１２）と前記制御コンポーネント（１４０、２４０、５３６、６１４）のうちの少なくとも一方からの情報を受信するようにした診断コンポーネント（１５０、５３４、６１６）と
を備え、
前記診断コンポーネント（１５０、５３４、６１６）は、前記溶接機（１１０、２１０、５１０、６１０）の健康ステータスを、前記センサコンポーネント（１３０、２３０、５３８、６１２）と、前記制御コンポーネント（１４０、２４０、５３６、６１４）と、前記溶接機内部診断とのうちの少なくとも一方から受信された情報に少なくとも部分的に基づいて判断し、
前記診断コンポーネント（１５０、５３４、６１６）は、前記溶接機（１１０、２１０、５１０、６１０）の前記健康ステータスに関連付けされた情報を、前記ローカルシステム（５８０）に、前記ネットワークインタフェース（１６２、２２２、５１２、６８０）を介して送信し、
前記ローカルシステム（５８０）は、エキスパートコンポーネント（５９２、６４２）を有し、
前記エキスパートコンポーネント（５９２、６４２）は、前記溶接機（１１０、２１０、５１０、６１０）の前記健康ステータスに関連付けされた情報を受信し、溶接診断を容易にする
ことを特徴とするシステム。
【請求項１８】
請求項１７において、前記溶接機（１１０、２１０、５１０、６１０）は、前記溶接機（１１０、２１０、５１０、６１０）と前記ローカルシステム（５８０）との間で、dynamic ＨＴＭＬと、ＨＴＭＬと、ＳＨＴＭＬと、ＶＢ（登録商標）スクリプトと、ＪＡＶＡ（登録商標）と、ＣＧＩスクリプトと、ＪＡＶＡ（登録商標）スクリプト、dynamic ＨＴＭＬと、ＰＰＰと、ＲＰＣと、ＴＥＬＮＥＴと、ＴＣＰ／ＩＰと、ＦＴＰと、ＡＳＰと、ＸＭＬと、ＰＤＦと、ＥＤＩおよびＷＭＬフォーマットのうちの少なくとも１つを介した通信を、前記ネットワークインタフェース（１６２、２２２、５１２、６８０）を介して容易にする通信コンポーネント（１９０、２７０、５３２、６１８）をさらに備えたことを特徴とするシステム。
【請求項１９】
請求項１８において、前記通信コンポーネント（１９０、２７０、５３２、６１８）は、前記溶接機（１１０、２１０、５１０、６１０）の前記健康ステータスに関連付けされた少なくとも１つのＨＴＭＬページを動的に作成することを特徴とするシステム。
【請求項２０】
請求項１７において、前記センサコンポーネント（１３０、２３０、５３８、６１２）と前記ローカルシステム（５８０）のうちの少なくとも一方は、前記溶接機（１１０、２１０、５１０、６１０）のオペレーションと、溶接の特性とのうちの少なくとも一方に関連付けされた情報を、試験装置（１８０、５７０、６３０、７３０）とモニタリング装置（１７０、５５０、６２０、７２０）のうちの少なくとも一方から受信するようにしたことを特徴とするシステム。
【請求項２１】
請求項１７において、前記溶接機（１１０、２１０、５１０、６１０）と前記ローカルシステム（５８０）は、ローカルネットワークと、エクストラネットと、Internetとのうちの少なくとも１つを介して動作可能に結合したことを特徴とするシステム。
【請求項２２】
請求項１７において、前記ネットワークインタフェース（１６２、２２２、５１２、６８０）は、Ｗｅｂサーバと、ＨＴＴＰサーバと、ＳＭＴＰサーバとのうちの少なくとも１つをさらに備えたことを特徴とするシステム。
【請求項２３】
請求項１７において、前記エキスパートコンポーネント（５９２、６４２）は、Bayesianモデルと、確率木ネットワークと、ファジー理論モデルと、ニューラルネットワークとのうちの少なくとも１つを使用して、溶接診断を容易にするようにしたことを特徴とするシステム。
【請求項２４】
請求項１７において、前記ローカルシステム（５８０）は、溶接機に関連付けされた情報を格納するローカルサービスサポートデータストア（５８６）をさらに備え、
この溶接機に関連付けされた情報は、溶接機サービスレコードと、溶接機部品注文情報と、溶接機保証情報と、溶接機サービス情報とのうちの少なくとも１つを備え、
前記エキスパートコンポーネント（５９２、６４２）は、前記ローカルサービスサポートデータストア（５８６）に格納された情報を利用して溶接診断を容易にする
ことを特徴とするシステム。
【請求項２５】
請求項１７において、前記ローカルシステム（５８０）は、溶接診断に関連付けされた情報を格納するエキスパートデータストア（５９４）をさらに備え、
この溶接診断に関連付けされた情報は、エキスパートシステムのルールと、ダイヤグラムと、溶接機トラブルシューティング手順と、溶接機ソフトウェアとのうちの少なくとも１つを備え、
前記エキスパートコンポーネント（５９２、６４２）は、前記エキスパートデータストア（５９４）に格納された情報を利用して溶接診断を容易にする
ことを特徴とするシステム。
【請求項２６】
請求項１７において、前記ローカルシステム（５８０）は、さらに、第２のネットワーク（５８２）を介して、リモートサービスデータストア（５９６、６６０）およびリモートエキスパートデータストア（５９８、６５０）のうちの少なくとも１つに動作可能に結合され、
前記エキスパートコンポーネント（５９２、６４２）は、溶接診断を容易にするため、リモートサービスデータストア（５９６、６６０）とリモートエキスパートデータストア（５９８、６５０）のうちの少なくとも一方に格納された情報を利用することを特徴とするシステム。
【請求項２７】
溶接システム診断を容易にするシステムであって、
リモートシステム（１６０、６４０）との間の通信を容易にするネットワークインタフェース（１６２、２２２、５１２、６８０）を有する溶接機（１１０、２１０、５１０、６１０）と、
前記溶接機（１１０、２１０、５１０、６１０）のオペレーションと、溶接の特性とのうちの少なくとも一方に関連付けされた情報を受信するようにしたセンサコンポーネント（１３０、２３０、５３８、６１２）と、
前記センサコンポーネント（１３０、２３０、５３８、６１２）からの情報を受信するようにし、しかも溶接機の診断を容易にするための少なくとも１つの試験シーケンスを、前記センサコンポーネント（１３０、２３０、５３８、６１２）から受信された情報に少なくとも部分的に基づいて実行するようにした制御コンポーネント（１４０、２４０、５３６、６１４）と、
溶接機内部診断を行うようにし、しかも前記センサコンポーネント（１３０、２３０、５３８、６１２）と前記制御コンポーネント（１４０、２４０、５３６、６１４）のうちの少なくとも一方からの情報を受信するようにした診断コンポーネント（１５０、５３４、６１６）と
を備え、
前記診断コンポーネント（１５０、５３４、６１６）は、前記溶接機（１１０、２１０、５１０、６１０）の健康ステータスを、前記センサコンポーネント（１３０、２３０、５３８、６１２）と、前記制御コンポーネント（１４０、２４０、５３６、６１４）と、前記溶接機内部診断とのうちの少なくとも一方から受信された情報に少なくとも部分的に基づいて判断し、
前記診断コンポーネント（１５０、５３４、６１６）は、前記溶接機（１１０、２１０、５１０、６１０）の前記健康ステータスに関連付けされた情報を、前記リモートシステム（１６０、６４０）に、前記ネットワークインタフェース（１６２、２２２、５１２、６８０）を介して送信し、
前記リモートシステム（１６０、６４０）は、エキスパートコンポーネント（５９２、６４２）を有し、
前記エキスパートコンポーネント（５９２、６４２）は、前記溶接機（１１０、２１０、５１０、６１０）の前記健康ステータスに関連付けされた情報を受信し、溶接診断を容易にする
ことを特徴とするシステム。
【請求項２８】
請求項２７において、前記溶接機（１１０、２１０、５１０、６１０）は、前記溶接機（１１０、２１０、５１０、６１０）と前記リモートシステム（１６０、６４０）の間で、dynamic ＨＴＭＬと、ＨＴＭＬと、ＳＨＴＭＬと、ＶＢ（登録商標）スクリプトと、ＪＡＶＡ（登録商標）と、ＣＧＩスクリプトと、ＪＡＶＡ（登録商標）スクリプトと、dynamic ＨＴＭＬと、ＰＰＰと、ＲＰＣと、ＴＥＬＮＥＴと、ＴＣＰ／ＩＰと、ＦＴＰと、ＡＳＰと、ＸＭＬと、ＰＤＦと、ＥＤＩと、ＷＭＬフォーマットとのうちの少なくとも１つを介した通信を、前記ネットワークインタフェース（１６２、２２２、５１２、６８０）を介して容易にする通信コンポーネント（１９０、２７０、５３２、６１８）をさらに備えたことを特徴とするシステム。
【請求項２９】
請求項２８において、前記通信コンポーネント（１９０、２７０、５３２、６１８）は、前記溶接機（１１０、２１０、５１０、６１０）の前記健康ステータスに関連付けされた少なくとも１つのＨＴＭＬページを動的に作成することを特徴とするシステム。
【請求項３０】
請求項２７において、前記センサコンポーネント（１３０、２３０、５３８、６１２）と前記リモートシステム（１６０、６４０）のうちの少なくとも一方は、前記溶接機（１１０、２１０、５１０、６１０）のオペレーションと、溶接の特性とのうちの少なくとも一方に関連付けされた情報を、試験装置（１８０、５７０、６３０、７３０）とモニタリング装置（１７０、５５０、６２０、７２０）のうちの少なくとも一方から受信するようにしたことを特徴とするシステム。
【請求項３１】
請求項２７において、前記溶接機（１１０、２１０、５１０、６１０）と前記リモートシステム（１６０、６４０）は、ローカルネットワークと、エクストラネットと、Internetとのうちの少なくとも１つを介して動作可能に結合したことを特徴とするシステム。
【請求項３２】
請求項２７において、前記エキスパートコンポーネント（５９２、６４２）は、Bayesianモデルと、確率木ネットワークと、ファジー理論モデルと、ニューラルネットワークとのうちの少なくとも１つを使用して、溶接診断を容易にするようにしたことを特徴とするシステム。
【請求項３３】
請求項２７において、溶接機に関連付けされた情報を格納するリモートサービスサポートデータストア（５９６、６６０）をさらに備え、
この溶接機に関連付けされた情報は、溶接機サービスレコードと、溶接機部品注文情報と、溶接機保証情報と、溶接機サービス情報とのうちの少なくとも１つを備え、
前記リモートサービスサポートデータストア（５９６、６６０）は、前記リモートシステム（１６０、６４０）に動作可能に結合され、
前記エキスパートコンポーネント（５９２、６４２）は、前記リモートサービスサポートデータストア（５９６、６６０）に格納された情報を利用して溶接診断を容易にする
ことを特徴とするシステム。
【請求項３４】
請求項２７において、溶接診断に関連付けされた情報を格納するリモートエキスパートデータストア（５９８、６５０）をさらに備え、
この溶接診断に関連付けされた情報は、エキスパートシステムのルールと、ダイヤグラムと、溶接機トラブルシューティング手順と、溶接機ソフトウェアとのうちの少なくとも１つを備え、
前記リモートエキスパートデータストア（５９８、６５０）は、前記リモートシステム（１６０、６４０）に動作可能に結合され、
前記エキスパートコンポーネント（５９２、６４２）は、前記エキスパートデータストア（５９８、６５０）に格納された情報を利用して溶接診断を容易にする
ことを特徴とするシステム。
【請求項３５】
請求項２７において、前記溶接機（１１０、２１０、５１０、６１０）と前記リモートシステム（１６０、６４０）とのうちの少なくとも一方に動作可能に結合した、試験装置（１８０、５７０、６３０、７３０）と、モニタリング装置（１７０、５５０、６２０、７２０）とのうちの少なくとも一方をさらに備えたことを特徴とするシステム。
【請求項３６】
溶接診断を容易にする方法において、
少なくとも１つのセンサ入力を受信するステップと、
警報または故障状態が存在するかどうかを判断するステップと、
仮に警報または故障状態が存在する場合には、前記警報または故障状態に関するメッセージをリモートシステム（１６０、６４０）に送信するステップと
を備えたことを特徴とする方法。
【請求項３７】
請求項３６において、
少なくとも１つの試験シーケンスを前記センサ入力に少なくとも部分的に基づいて行うステップと、
試験装置（１８０、５７０、６３０、７３０）とモニタリング装置（１７０、５５０、６２０、７２０）のうちの少なくとも一方からの情報を受信するステップと、
少なくとも１つの内部コンポーネントにおいて診断を行うステップと、
仮に警報または故障状態が存在する場合に、前記警報または故障状態を記録するステップと、
仮に警報または故障状態が存在する場合に、対策を開始するステップと
のうちの少なくとも１つをさらに備えたことを特徴とする方法。
【請求項３８】
溶接情報を管理するシステムであって、
少なくとも１つのセンサ入力を受信する手段と、
警報または故障状態が存在するかどうかを判断する手段と、
仮に警報または故障状態が存在する場合に、前記警報または故障状態に関するメッセージをリモートシステム（１６０、６４０）に送信する手段と
を備えたことを特徴とするシステム。
【請求項３９】
請求項３６に記載の方法の少なくとも一部を実行するためのコンピュータ実行可能命令を有することを特徴とするコンピュータ可読媒体。
【請求項４０】
複数の溶接システムの間で通信するための信号であって、リモートシステム（１６０、６４０）と溶接機（１１０、２１０、５１０、６１０）との間で通信するための信号であり、前記溶接機（１１０、２１０、５１０、６１０）の健康ステータスに関連付けされた情報を有する信号を備えたことを特徴とする信号。
【発明の詳細な説明】
【技術分野】
【０００１】
本発明は、一般に、コンピュータおよび溶接システムに関する。本発明は、具体的には、溶接システムの診断を容易にするシステムおよび方法に関する。
【背景技術】
【０００２】
溶接システムは、現代の産業時代においてはその中核にある。これら溶接システムは、大規模な自動車組み立て作業から、オートメーション化された製造環境に至るまで、さらに複雑な製造作業に加わることが容易になる。溶接システムの一例には、電気アーク溶接システムが含まれる。この電気アーク溶接システムには、例えば、電流を、消耗性の電極（溶接棒）に流すとともに、この電極とワークピースとの間に生じたアークにも流しながら、この電極をワークピースに向けて移動させることも含まれる。この電極は、非消耗性のものにしたり、消耗性のものにしたりすることができ、この電極の一部を、溶かして当該ワークピース上に堆積させることができる。組み立て工程の複数の場面（multiple aspect）においては、しばしば、数百、ときには数千もの溶接機が採用されており、精巧なコントローラにより、個々の溶接機が、工程の関連部分内でオペレートすることができる。例えば、これらの場面の中には、電極に供給される電力および波形の制御と、溶接中に溶接チップを動かし送ることと、他の溶接点へ電極を動かすことと、高温の溶融池を酸化から保護するためのガス制御と、アーク形成のためにイオン化プラズマを供給するためのガス制御と、その他の場面、例えば、溶接の品質を管理するためにアークを安定させることと、に関係する場面もある。これらのシステムは、大規模な製造環境においては、長い距離に亘って展開されることがよくあり、複数の製造センタ間で、何度も、拡大される。しかし、現代的であるが複雑な製造作業の性質および要件が与えられると、溶接システムの設計者、製作者、およびサプライヤーは、種々の溶接場所を、アップグレードし、維持し、制御し、サービスし供給する上で、多くの課題に直面する。残念ながら、慣用の溶接システムは、全体の組み立て工程が、個別に制御され、しかもいくらか隔離された製造場所でオペレートされるものが多い。したがって、大規模なセンタにおいて、および／または地球規模で、複数の隔離された場所を、制御し、維持し、サービスし供給することは、より魅力的であるが、時間がかかり、費用がかかることになる。
【０００３】
このような１つの課題は、溶接機および／または溶接システムのサービスサポートを容易にする点にある。慣用的には、溶接機のサービスサポートは、メーカからの技術マニュアルおよび／またはブリティン、および／またはオペレータによる溶接機の診断を組み合わせたものであった。溶接機がますます複雑になるにつれて、溶接機に対するサービスおよび／またはサポートが困難になって、ダウンタイムが増大していった
さらに、溶接機の故障および／または警報は、オペレータがコレクティブアクションを監視および／または開始することを困難にしている。慣用的には、オペレータが溶接機に物理的に近接しているときは、故障および／または警報を（例えば、ステータスインジケータをリビューし、および／または、装置をモニタすることにより）知ることができる。これには、時間がかかる可能性があり、オペレータの経験の程度に基づく一貫性のない結果になる可能性がある。
【発明の開示】
【発明が解決しようとする課題】
【０００４】
以下で、本発明のいくつかの態様の基本的な理解を提供するために、本発明の簡略化された要約を提示する。この要約は、本発明の広範囲に渡る概観ではない。これは、本発明の重要または重大な要素を識別すること、または本発明の範囲を線引きすることを意図しないものである。その唯一の目的は、本発明のいくつかの概念を、簡略化された形式で、後に提示されるより詳細な説明の前置きとして提示することである。
【０００５】
本発明は、溶接診断を容易にするためのシステムおよび方法に関する。
【課題を解決するための手段】
【０００６】
本発明は、ローカルシステム、リモートシステム、および／または警報コンポーネントに動作可能に結合された溶接機を提供する。当該溶接機のセンサコンポーネントは、溶接機のオペレーションおよび／または溶接の特性に関する情報を、試験装置および／またはモニタリング装置を介して、受信することができる。当該溶接機の制御コンポーネントは、試験シーケンスを、センサコンポーネントから受信された情報に少なくとも部分的に基づいて実行し、溶接システム診断を容易にすることができる。センサコンポーネントおよび／または制御コンポーネントからの情報を、内部診断を行うことができる診断コンポーネントによって受信することができる。センサコンポーネント、制御コンポーネント、および／または内部診断から受信された情報に少なくとも部分的に基づいて、診断コンポーネントは、溶接機の健康ステータス、および／または、溶接機がいずれかの機能および／または性能の問題（例えば、警報および／または故障）を有するかどうかを判断することができる。当該溶接機は、溶接機の健康ステータス、溶接機データ、および／または、溶接機が機能および／または性能の問題を有するかどうかを、ローカルシステム、リモートシステム、および／または警報コンポーネントに、（例えば、ボイスメール、電話、email、および／またはポケットベルにより）通信することができる。溶接機の健康ステータス、機能、および／または性能の問題に関する情報を、さらに、イベントログに格納することができる。
【０００７】
本発明のもう１つの態様によれば、リモートシステムは、溶接診断を容易にするためのエキスパートコンポーネントを有することができる。このエキスパートコンポーネントは、種々のＡＩ（artificial intelligence）技術（例えば、Bayesianモデル、確率木ネットワーク、ファジー理論、および／またはニューラルネットワーク）を使用して、溶接機データ、および／または、溶接機から受信された健康ステータスに少なくとも部分的に基づいて、溶接診断を容易にすることができる。エキスパートコンポーネントは、適応的に、そのモデリング技術をこれまでの成功に基づいて修正することができる（例えば、以前の溶接診断の成功から学習する）。
【０００８】
本発明のさらにもう１つの態様は、エキスパートデータストア、ローカルサービスサポートデータストア、リモートエキスパートデータストア、および／またはリモートサービスサポートデータストアにアクセスし、溶接診断を容易にするエキスパートコンポーネントを備える。エキスパートデータストアおよび／またはリモートエキスパートデータストアは、溶接診断に関連付けされた情報（例えば、現在のエキスパートシステムのルール、ダイヤグラム、溶接機トラブルシューティング手順、および／または溶接機ソフトウェアのアップグレード）を格納することができ、エキスパートコンポーネントは、溶接診断を容易にするため、この情報を利用することができる。ローカルサービスサポートデータストアおよび／またはリモートサービスサポートデータストアは、情報（例えば、溶接機サービスレコード、溶接機部品注文情報、溶接機保証情報、および／または溶接機サービス情報）を格納することができ、エキスパートコンポーネントはこの情報を利用して溶接診断を容易にすることができる。
【０００９】
本発明の一態様によれば、溶接機、ローカルシステム、および／またはリモートシステムは、少なくとも一時的に、溶接機の健康ステータスに少なくとも部分的に基づいて、対策を開始することができる。さらに、当該溶接機はローカルシステムおよび／またはリモートシステムと（例えば、ボイスメール、電話、emailおよび／またはポケットベルにより）通信して、メンテナンスをスケジュールすることができる（例えば、溶接機の使用に基づいて行なう）。
【００１０】
以下の説明および添付の図面は本発明のある例示的態様を詳細に示す。ただし、これらの態様は、本発明の原理を使用することができる種々の方法のうちの少数を示しており、本発明は、このような態様およびそれらの等価物をすべて含むものである。本発明の他の利点および新規な特徴は、以下の本発明の詳細な説明を図面と共に考察すれば明白になる。
【発明を実施するための最良の形態】
【００１１】
本発明を図面を参照して説明する。図において、同様の参照番号は、同様の要素を示す。以下の説明においては、説明のため、多数の具体的な詳細を示すが、これは、本発明を充分に理解できるようにするためである。これら具体的な詳細がなくても、本発明を実施できることは、当業者とって当然のことである。他の例においては、本発明の説明を容易にするため、周知の構造およびデバイスをブロック図で示す。
【００１２】
ここで「システム」とは、１つまたは複数のコンポーネントを備える構造である。「コンポーネント」とは、コンピュータのハードウェアおよび／またはソフトウェアを備える構造である。例えば、コンポーネントを、ソフトウェア命令により符号化されたコンピュータ可読メモリか、または、指定されたタスクを実行するように構成されたコンピュータにすることができるが、これらに限定されるものではない。例として、コンピュータ可読メモリに格納されたアプリケーションプログラムと、このコンピュータ可読メモリ上でアプリケーションが実行するサーバを、コンポーネントにすることができる。コンポーネントの性質上、多数のコンポーネントを混ぜ合わせることができ、しばしば分離できない。システムを同様に混ぜて分離不可能にすることができる。さらに、「エクストラネット」とは、ネットワークを介して安全に通信する複数の信頼されている取引相手のネットワークを指し、このネットワークは、Internetと、ＬＡＮ（local area network）と、コンピュータネットワークと、イントラネットと、ＷＡＮ（wide area network）と、バーチャルプライベートネットワークと、メトロポリタンエリアネットワークと、ワイヤレスネットワークとにすることができるが、これらに限定されるものではない。
【００１３】
「溶接機」とは、溶接を行なうための物理ハードウェア、例えば、ワイヤフィーダ、コンタクトチップ、ドレッサ、ガスミキサー、ガススニーザー、ガスコントローラ、クランプアクチュエータ、移動運搬／部品マニピュレータ、ロボットアーム／ビーム／トーチマニピュレータ、レーザシームトラッカー、他の入力／出力デバイス、および溶接電源であり、この物理ハードウェアに関連付けられたいずれかのコントローラと、モニタと、通信インタフェースとを有する。例えば、溶接機を使用して、ガス金属アーク溶接(ＭＩＧ）と、フラックス入りワイヤ（flux cored）アーク溶接と、メタル入りワイヤ（metal cored）アーク溶接と、サブマージアーク溶接（ＳＡＷ）と、ナローグルーブ溶接と、メタル入りホットワイヤ（hot wire filled）ＴＩＧ（tungsten inert gas）溶接と、メタル入りコールドワイヤ（cold wire filled）ＴＩＧ溶接と、プラズマアーク溶接と、電子ビームおよびレーザ溶接と、硬化肉盛（hardsurfacing）溶接と、アークゲージング（arc gauging）および手シールドアーク溶接（溶加棒溶接（stick welding））とを行なうことができる。
【００１４】
図１は、本発明の一態様に係る溶接診断システム１００を例示する。溶接診断システム１００には、溶接機１１０が含まれ、この溶接機１１０は、ネットワークインタフェース１２０と、センサコンポーネント１３０と、制御コンポーネント１４０と、診断コンポーネント１５０とを有する。
【００１５】
ネットワークインタフェース１２０は、溶接機１１０を、ネットワーク１６２を介して、リモートシステム１６０に動作可能に結合することができる。例えば、ネットワーク１６２は、Ethernet（登録商標）（IEEE802.3）と、ワイヤレスEthernet（登録商標）（IEEE802.11）と、ＰＰＰ（point-to-point protocol）と、point-to-multipointショートレンジＲＦ（radio frequency）と、ＷＡＰ（Wireless Application Protocol）と、Bluetooth（登録商標）と、ＩＰと、ＩＰｖ６と、ＴＣＰと、ＵＤＰ（User Datagram Protocol）を使用することができる。さらに、ネットワーク接続は、エクストラネットを介して、行うことができる。例えば、ネットワーク接続は、ネットワークインタフェース１２０からＩＳＰ（Internet Service Providet）までの（図示しない）電話接続により、リモートシステム１６０に対して行うことができる。もう１つの可能なネットワーク接続は、ＬＡＮを介して、リモートシステム１６０に対して行うことができる。溶接機１１０と、関連する溶接装置（図示せず）とは、ネットワーク１６２とは切り離した別のネットワーク（例えば、Arclink）を介して、通信できる、ことに留意されたい。溶接機１１０とリモートシステム１６０との間で交換される情報は、種々のフォーマットにすることができ、この情報には、ＨＴＭＬと、ＳＨＴＭＬと、ＶＢ（登録商標）スクリプトと、ＪＡＶＡ（登録商標）と、ＣＧＩスクリプトと、ＪＡＶＡ（登録商標）スクリプトと、dynamic ＨＴＭＬと、ＰＰＰと、ＲＰＣと、ＴＥＬＮＥＴと、ＴＣＰ／ＩＰと、ＦＴＰと、ＡＳＰと、ＸＭＬと、ＰＤＦと、ＥＤＩと、ＷＭＬその他のフォーマットのような技術を含めることができるが、これらに限定されるものではない。
【００１６】
センサコンポーネント１３０は、溶接機１１０の動作（例えば、電圧および／または電流レベル）および／または溶接機１１０によって製造された溶接の特性（例えば、溶接のイメージ）に関連付けされた情報を受信するようになっている。センサコンポーネント１３０は、モニタリング装置１７０および／または試験装置１８０（例えば、抵抗計、電圧計、および／または電流計）からの情報（例えば、溶接のデジタルカメラおよび／またはストリーミングビデオカメラのイメージ）を受信することができる。
【００１７】
制御コンポーネント１４０は、センサコンポーネント１３０からの情報を受信するようになっており、溶接機１１０の診断を容易にするための試験シーケンスを、少なくとも部分的には、センサコンポーネント１３０から受信された情報に基づいて実行することができる。
【００１８】
診断コンポーネント１５０は、センサコンポーネント１３０および／または制御コンポーネント１４０からの情報を受信するようになっている。さらに、診断コンポーネント１５０は、溶接機１１０の内部のコンポーネントおよび／またはシステム（例えば、プリント回路基板）に関連付けされた診断情報を受信することができる。診断コンポーネント１５０は、溶接機１１０の内部のコンポーネントおよび／またはシステムに対して、駐在診断モード（resident diagnostic mode）を実行することができる。診断コンポーネント１５０は試験シーケンスを開始して、少なくとも部分的には、センサコンポーネント１３０、制御コンポーネント１４０、および／または内部診断から受信された情報に基づいて、溶接機１１０の診断を容易にすることができる。
【００１９】
センサコンポーネント１３０、制御コンポーネント１４０、および／または内部診断から受信された情報に少なくとも部分的に基づいて、診断コンポーネントは、溶接機１１０の健康ステータスを判断することができる。溶接機１１０の健康ステータスには、溶接機の機能および／または性能試験結果と、エラーおよび／または警報に関連付けさられた情報とを含めることができるが、これらに限定されるものではない。診断コンポーネント１５０は、溶接機１１０の健康ステータスに関連付けされた情報を、ネットワークインタフェース１２０を介して、リモートシステム１６０に送信することができる。さらに、診断コンポーネント１５０は、少なくとも部分的には、センサコンポーネント１３０、制御コンポーネント１４０、および／または内部診断から受信された情報に基づいて、対策を開始することができる。例えば、仮に診断コンポーネント１５０が、溶接機１１０の２次電流が電流閾値（例えば、１５０アンペア）を超えていると、判断した場合には、診断コンポーネント１５０がこの状態が修正されていると判断するか、および／または診断コンポーネント１５０がオーバライドされる（例えば、オペレータの命令による）まで、診断コンポーネント１５０は、少なくとも一時的に、溶接機の電流の低減（例えば、５０アンペア）を開始することができる。
【００２０】
溶接機１１０には、さらに、溶接機１１０とリモートシステム１６０との間で通信を容易にする通信コンポーネント１９０を含めることができる。通信コンポーネント１９０は、溶接機の健康ステータス（例えば、警報状態）に関連付けされた情報を受信し、この情報をリモートシステム１６０によって使用するため、この情報をフォーマットする（例えば、ＨＴＭＬドキュメント）ことができる。通信コンポーネント１９０は、溶接機の健康ステータスに関する情報を、本発明の範囲内の複数のフォーマット（例えば、dynamic ＨＴＭＬ、ＲＴＦ、および／またはＡＳＣＩＩテキスト）で、動的に、リモートシステムに提供することができる。例えば、溶接機の健康ステータスに基づいて、通信コンポーネント１９０は、リモートシステム１６０への伝送のためのＨＴＭＬファイルを（例えば、ＣＧＩスクリプトか、Ｊａｖａ（登録商標）か、またはＪａｖａ（登録商標）スクリプトを使用して）動的に作成することができる。さらに、溶接機１１０はリモートシステム１６０と（例えば、ボイスメール、電話、email、および／またはポケットベルを介して）通信し、（例えば、溶接機の使用に基づいて行なう）メンテナンスをスケジュールすることができる。
【００２１】
ネットワークインタフェース１２０は、リモートシステム１６０と情報交換を行うＷｅｂサーバ１２２を含むことができる。溶接機１１０は、さらに、Ｗｅｂページデータベース１２４と、溶接機データストア１２８とを含むことができる。Ｗｅｂページデータベース１２４は、ネットワークインタフェース１２０を介してアクセス可能なリモートシステム１６０上に格納された溶接診断に関連付けされた情報を格納することができる。例えば、Ｗｅｂページデータベース１２４は、（例えば、Ｗｅｂサーバ１２２を介してアクセス可能な）溶接機１１０のオペレータがInternetを介して利用可能な溶接診断リソースに、ハイパーリンクを提供することができる。さらに、溶接機の健康ステータスに関する情報を、Ｗｅｂページデータベース１２４に格納されたＷｅｂページおよび／または情報を介して、交換することができる。
【００２２】
溶接機データストア１２８は、溶接機１１０に関連付けされた情報（例えば、溶接機製造番号、溶接機型式番号、溶接機組付日、および／または溶接機ソフトウェアバージョン識別子）、および／または溶接機１１０のコンポーネント部品に関連付けされた情報（例えば、コンポーネント部品識別子、コンポーネントバージョン識別子、および／またはコンポーネントソフトウェアバージョン識別子）を格納することができる。溶接機データストア１２８に格納された情報であって、溶接機１１０に関連付けされた情報を、ネットワークインタフェース１２０を介して、リモートシステム１６０に伝送することができる。例えば、リモートシステム１６０は、溶接機データストア１２８を、コンポーネントのプリント回路基板に関連付けされた情報について問い合わせ、ソフトウェアバージョン番号を判断し、起こりそうな溶接機の故障および／または警報の原因を、リモートシステム１６０が判断することを容易にすることができる。
【００２３】
図２は、本発明の一態様に係る溶接診断システム２００を示す。溶接診断システム２００には、溶接機２１０が含まれ、溶接機２１０は、ネットワークインタフェース２２０と、センサコンポーネント２３０と、制御コンポーネント２４０と、イベントコンポーネント２５０と、イベントログ２６０とを有する。溶接機は、さらに、通信コンポーネント２７０を有することができる。
【００２４】
ネットワークインタフェース２２０は、溶接機２１０を、ネットワーク２２２を介して、警報コンポーネント２９０に動作可能に結合することができる。例えば、ネットワーク２２２は、Ethernet（登録商標）（IEEE802.3）と、ワイヤレスEthernet（登録商標）（IEEE802.11）と、ＰＰＰ（point-to-point protocol）と、point-to-multipointショートレンジＲＦ（無線周波数）と、ＷＡＰ（Wireless Application Protocol）と、Bluetooth（登録商標）と、ＩＰと、ＩＰｖ６と、ＴＣＰと、ＵＤＰ（User Datagram Protocol）を使用することができる。さらに、ネットワーク接続は、エクストラネットを介して、行うことができる。例えば、ネットワーク接続を、ネットワークインタフェース２２０からInternetサービスプロバイダ（ＩＳＰ）までの電話接続（図示せず）を介して、警報コンポーネント２９０に接続にすることができる。もう１つの可能なネットワーク接続は、ＬＡＮ（local area network）を介して警報コンポーネント２９０に行うことができる。溶接機２１０と、関連する溶接装置（図示せず）とは、ネットワーク２２２から切り離した別のネットワーク（例えば、Arclink）を介して通信できる、ことに留意されたい。溶接機２１０と警報コンポーネント２９０の間で交換される情報は、種々のフォーマット、例えば、ＨＴＭＬ、ＳＨＴＭＬ、ＶＢ（登録商標）スクリプト、ＪＡＶＡ（登録商標）、ＣＧＩスクリプト、ＪＡＶＡ（登録商標）スクリプト、dynamic ＨＴＭＬ、ＰＰＰ、ＲＰＣ、ＴＥＬＮＥＴ、ＴＣＰ／ＩＰ、ＦＴＰ、ＡＳＰ、ＸＭＬ、ＰＤＦ、ＥＤＩ、ＷＭＬその他のフォーマットのような技術を含めることができるが、これらに限定されるものではない。
【００２５】
センサコンポーネント２３０は、溶接機２１０の動作（例えば、電圧および／または電流レベル）、および／または溶接機２１０によって製造された溶接の特性（例えば、溶接のイメージ）に関連付けされた情報を受信するようになっている。センサコンポーネント２３０は、モニタリング装置（図示せず）および／または試験装置（図示せず）（例えば、抵抗計、電圧計、および／または電流計）からの情報（例えば、溶接のデジタルカメラおよび／またはストリーミングビデオカメラのイメージ）を受信することができる。
【００２６】
制御コンポーネント２４０は、センサコンポーネント２３０および／または制御コンポーネントからの情報を受信するようになっており、しかも、溶接機２１０の診断を容易にするための試験シーケンスを、センサコンポーネント２３０から受信された情報に少なくとも部分的に基づいて実行するようになっている。例えば、予期しない低い抵抗値の指示（例えば、短絡を示すこともある）を受信すると、制御コンポーネント２４０は、試験シーケンスを実行し、この指示の原因（例えば、短絡接続のような外部の問題、および／または故障した溶接機コンポーネントのような内部の問題）の判断を支援することができる。制御コンポーネント２４０は、さらに、溶接機２１０の内部のコンポーネントおよび／またはシステム（例えば、プリント回路基板）に関連付けされた診断情報を受信することができる。制御コンポーネント２４０は、溶接機２１０の内部のコンポーネント、および／またはシステムに関して駐在診断モードを実行することができる。制御コンポーネント２４０は試験シーケンスを実行し、少なくとも部分的に、センサコンポーネント２３０および／または内部診断から受信された情報に基づいて、溶接機２１０の診断を容易にすることができる。
【００２７】
イベントコンポーネント２５０は、センサコンポーネント２３０および／または制御コンポーネント２４０からの情報を受信するようになっている。少なくとも部分的には、センサコンポーネント２３０、制御コンポーネント２４０、および／または内部診断から受信された情報に基づいて、イベントコンポーネント２５０は、溶接機イベント（例えば、故障および／または警報状態）の発生を判断する。イベントコンポーネント２５０は、溶接機イベントに関連付けされた情報（例えば、故障および／または警報、コード番号、イベントの記述、提案された対策、および／またはイベントのタイムスタンプ）をイベントログ２６０に格納することができる。イベントコンポーネント２５０は、溶接機イベントに関連付けされた情報（例えば、故障および／または警報、コード番号、イベントの記述、明白な問題点、提案された対策、および／またはイベントのタイムスタンプ）を、警報コンポーネント２９０への通信のために、ネットワークインタフェース２２０に送信することができる。
【００２８】
溶接機イベントに関連付けされた情報であって、イベントログ２６０に格納された情報を、オペレータ（例えば、ビデオ表示端末を介して）および／またはリモートシステム（図示せず）によりリビューするため、利用することができる。イベントログ２６０に格納された情報を、種々のデータ構造であって、リスト、アレイ、および／またはデータベースを含むデータ構造に格納することができるが、このデータ構造に含まれるものはこれらに限定されるものではない。図３は、シミュレートされたエラーおよび／または警報であって、本発明の一態様により生成されものを表にして示す。
【００２９】
図４は、本発明の一態様に係るユーザインタフェースのシミュレートされたスクリーンショット４１０および４２０を例示する。シミュレートされたスクリーンショット４１０は、イベントログ２６０に格納された情報をグラフィカルに示したものである。シミュレートされたスクリーンショット４１０は、エントリ番号とイベントコードとタイムスタンプとを有する３つのイベントエントリと、２つのデータフィールドと、記述フィールドとを有する。シミュレートされたスクリーンショット４１０は、さらに、明白な問題点と、提案アクション（例えば、イベントコンポーネント２５０、制御コンポーネント２４０、診断コンポーネント１５０、リモートシステム１６０、および／または警報コンポーネント２９０によって判断される）とを提供する。
【００３０】
シミュレートされたスクリーンショット４２０は、イベントログ２６０に格納された情報をグラフィカルに示したものである。シミュレートされたスクリーンショット４２０は１つのエントリを有し、このエントリは、エントリ番号と、イベントコードと、タイムスタンプと、２つのデータフィールドと、記述フィールドとを有する。シミュレートされたスクリーンショット４２０は、明白な問題点と、提案アクション（例えば、イベントコンポーネント２５０、制御コンポーネント２４０、診断コンポーネント１５０、リモートシステム１６０、および／または警報コンポーネント２９０によって判断される）をも提供する。
【００３１】
シミュレートされたスクリーンショット４１０および４２０は、例えばイベントログ２６０に格納された情報に基づいて、ユーザ、リモートシステム、および／または警報コンポーネントで利用できる情報を例示する。本発明に係る溶接機イベントに関する情報であって情報量につき増減のある情報を、ユーザ、リモートシステムおよび／または警報コンポーネントで利用できることは、当然のことである。
【００３２】
図２を説明すると、溶接機２１０は、さらに、溶接機２１０と警報コンポーネント２９０の間の通信を容易にする通信コンポーネント２７０も含むことができる。通信コンポーネント２７０は、溶接機イベント（例えば、警報、故障、機能試験結果、および／または性能試験結果）に関連付けされた情報を受信し、警報コンポーネント２９０に伝送するため、この情報をフォーマットする（例えば、Dynamic ＨＴＭＬか、リッチテキストフォーマットか、ＡＳＣＩＩテキスト）ことができる。溶接機２１０は、さらに、特定の故障および／または警報を処理する方法に関する情報を格納する通信データストア２７２を含むことができる。通信データストア２７２に格納された情報に基づいて、通信コンポーネント２７０は、警報および／または故障イベントが発生した旨を通知するためのモード（例えば、ボイスメール番号、emailアドレス、電話番号、および／またはポケットベル番号）を判断することができる。
【００３３】
ネットワークインタフェース２２０は、さらに、溶接機の健康ステータスに関するemailを送信および／または受信するためのＳＭＴＰコンポーネント２８２を含むことができる。例えば、ＳＭＴＰコンポーネント２８２は、警報コンポーネント２９０（例えば、InternetイネーブルなＰＤＡ（personal digital assistant））から、イベントログ２６０に格納された情報についてのリクエストを、受信することができる。このリクエストに応答して、ＳＭＴＰコンポーネント２８２は、イベントログ２６０に格納された情報を、通信コンポーネント２７０を介してリクエストすることができる。通信コンポーネント２７０がリクエストされた特定の情報（例えば、最新の警報／故障）を検索することができ、および／または、イベントログ２６０に格納された実質的にすべての情報を伝送することができる、ことは当然のことである。通信コンポーネント２７０は、イベントログ２６０に格納された情報を、ＳＭＴＰコンポーネント２８２により警報コンポーネント２９０に伝送するため、フォーマットすることができる。ネットワークインタフェース２２０は、さらに、警報コンポーネント２９０（例えば、コンピュータシステムと、ポケットベルと、電話と、ＰＤＡ）との情報交換を容易にするＷｅｂサーバ２８０を含むことができる。
【００３４】
次に、図５を参照するに、図５は、本発明の一態様に係る溶接診断システム５００を示す。溶接診断システム５００には、溶接機５１０が含まれ、この溶接機５１０は、ネットワークインタフェース５３０と、センサコンポーネント５３８と、制御コンポーネント５３６と、診断コンポーネント５３４と、通信コンポーネント５３２と、溶接機データストア５２０とを有する。溶接機５１０には、さらに、イベントログ５２２を含めることができる。
【００３５】
溶接機５１０およびローカルシステム５８０は、第１のネットワーク５１２を介して動作可能に結合されている。例えば、第１のネットワーク５１２は、Ethernet（登録商標）（IEEE802.3）と、ワイヤレスEthernet（登録商標）（IEEE802.11）、ＰＰＰ（point-to-point protocol）、point-to-multipointショートレンジＲＦ（無線周波数）と、ＷＡＰ（Wireless Application Protocol）と、Bluetooth（登録商標）と、ＩＰと、ＩＰｖ６と、ＴＣＰと、ＵＤＰ（User Datagram Protocol）とを使用することができる。ローカルシステム５８０と溶接機５１０の間で交換される情報は、種々のフォーマットにすることができ、これらフォーマットには、ＨＴＭＬと、ＳＨＴＭＬ、ＶＢ（登録商標）スクリプトと、ＪＡＶＡ（登録商標）と、ＣＧＩスクリプトと、ＪＡＶＡ（登録商標）スクリプトと、dynamic ＨＴＭＬと、ＰＰＰと、ＲＰＣと、ＴＥＬＮＥＴと、ＴＣＰ／ＩＰと、ＦＴＰと、ＡＳＰと、ＸＭＬと、ＰＤＦと、ＥＤＩと、ＷＭＬその他のフォーマットのような技術を含めることができるが、これらに限定されるものではない。
【００３６】
センサコンポーネント５３８は、溶接機５１０の動作（例えば、電圧および／または電流レベル）、および／または溶接機５１０によって製造された溶接の溶接の特性（例えば、溶接のイメージ）に関連付けされた情報を受信するようになっている。センサコンポーネント５３８および／またはローカルシステム５８０は、モニタリング装置５５０（例えば、溶接のデジタルカメラおよび／またはストリーミングビデオカメラのイメージ）、および／または試験装置５７０（例えば、抵抗計、電圧計、および／または電流計）からの情報を受信することができる。モニタリング装置５５０および／または試験装置５７０を、溶接機５１０および／またはローカルシステム５８０に動作可能に結合できることは、当然のことである。
【００３７】
制御コンポーネント５３６は、センサコンポーネント５３８からの情報を受信するようにでき、しかも、溶接機５１０の診断を容易にするための試験シーケンスを、少なくとも部分的に、センサコンポーネント５３８から受信された情報に基づいて実行するようになっている。
【００３８】
診断コンポーネント５３４は、センサコンポーネント５３８および／または制御コンポーネント５３６からの情報を受信するようになっている。診断コンポーネント５３４は、さらに、溶接機５１０の内部のコンポーネントおよび／またはシステム（例えば、プリント回路基板）に関連付けされた診断情報を受信することができる。診断コンポーネント５３４は、溶接機５１０の内部のコンポーネントおよび／またはシステムに対して駐在診断モードを実行することができる。センサコンポーネント５３８、制御コンポーネント５３６、および／または内部診断から受信された情報に少なくとも部分的に基づいて、診断コンポーネント５３４は、溶接機５１０の健康ステータスを判断する。溶接機の健康ステータスには、溶接機の機能および／または性能試験結果、エラーおよび／または警報に関連付けされた情報を含めることができるが、これらに限定されるものではない。診断コンポーネント５３４は、溶接機５１０の健康ステータスに関連付けされた情報を、ネットワークインタフェース５３０を介して、ローカルシステム５８０に送信することができる。さらに、診断コンポーネント５３４は、センサコンポーネント５３８および／または制御コンポーネント５３６から受信された情報に、少なくとも部分的に基づいて、対策を開始することができる。
【００３９】
溶接機５１０は、さらに、溶接機５１０とローカルシステム５８０の間で通信を容易にする通信コンポーネント５３２も含むことができる。通信コンポーネント５３２は、溶接機の健康ステータス（例えば、警報状態）に関連付けされた情報を受信し、ローカルシステム５８０によって使用するため、この情報をフォーマットすることができる（例えば、ＨＴＭＬ文書）。したがって、通信コンポーネント５３２は、溶接機の健康ステータスに関する情報を、本発明の範囲内の複数のフォーマット（例えば、dynamic ＨＴＭＬ、ＲＴＦ、および／またはＡＳＣＩＩテキスト）で、動的に、ローカルシステム５８０に提供することができる。例えば、溶接機の健康ステータスに基づいて、通信コンポーネント５３２は、ローカルシステム５８０に伝送するためのＨＴＭＬファイルを、（例えば、ＣＧＩスクリプト、Ｊａｖａ（登録商標）またはＪａｖａ（登録商標）スクリプトを使用して）動的に作成することができる。さらに、溶接機５１０は、ローカルシステム５８０と通信して（例えば、ボイスメール、電話、email、および／またはポケットベルを介して）、メンテナンスをスケジュールすることができる（例えば、溶接機の使用に基づいて行なう）。溶接機５１０の健康ステータスに関連付けされた情報（例えば、警報および／または故障）をイベントログ５２２に格納することができる。
【００４０】
溶接機データストア５２０は、溶接機５１０に関連付けされた情報（例えば、溶接機製造番号、溶接機型式番号、溶接機組付日、および／または溶接機ソフトウェアバージョン識別子）、および／または溶接機５１０のコンポーネント部品に関連付けされた情報（例えば、コンポーネント部品識別子、コンポーネントバージョン識別子、および／またはコンポーネントソフトウェアバージョン識別子）を提供することができる。溶接機５１０に関連付けされた情報であって、溶接機データストア５２０に格納された情報を、ネットワークインタフェース５３０を介して、ローカルシステム５８０に伝送することができる。例えば、ローカルシステム５８０は、起こりそうな溶接機の故障および／または警報の原因を判断するため、溶接機データストア５２０を、コンポーネントのプリント回路基板に関連付けされた情報についてケリーし、ソフトウェアバージョン番号を判断することができる。
【００４１】
ローカルシステム５８０は、エキスパートコンポーネント５９２と、エキスパートデータストア５９４と、ローカルサービスサポートデータストア５８６と、Ｗｅｂインタフェースコンポーネント５８８とを有することができる。エキスパートコンポーネント５９２は、種々のＡＩ（）技術（例えば、Bayesianモデル、確率木ネットワーク、ファジー理論、および／またはニューラルネットワーク）を使用し、溶接機５１０から受信された健康ステータスに少なくとも部分的に基づいて、溶接診断を容易にすることができる。さらに、エキスパートコンポーネント５９２は、適応的に、そのモデリング技術をこれまでの成功に基づいて修正することができる（例えば、以前の溶接診断の成功から学習する）。
【００４２】
エキスパートデータストア５９４は、溶接診断に関連付けされた情報（例えば、現在のエキスパートシステムのルール、ダイヤグラム、溶接機トラブルシューティング手順、および／または溶接機ソフトウェアのアップグレード）を格納することができ、エキスパートコンポーネント５９２は、溶接診断を容易にするため、この情報を利用することができる。ローカルサービスサポートデータストア５８６は、情報（例えば、溶接機サービスレコード、溶接機部品注文情報、溶接機保証情報、および／または溶接機サービス情報）を格納することができ、エキスパートコンポーネント５９２は、溶接診断を容易にするため、この情報を利用することができる。
【００４３】
溶接診断システム５００は、さらに、リモートエキスパートデータストア５９８および／またはリモートサービスデータストア５９６を含むことができ、これらは、第２のネットワーク接続５８２を介してローカルシステム５８０のＷｅｂインタフェースコンポーネント５８８に動作可能に結合される。例えば、第２のネットワーク５８２は、Ethernet（登録商標）（IEEE802.3）と、ワイヤレスEthernet（登録商標）（IEEE802.11）と、ＰＰＰ（point-to-point protocol）と、point-to-multipointショートレンジＲＦ（無線周波数）と、ＷＡＰ（Wireless Application Protocol）と、Bluetooth（登録商標）と、ＩＰと、ＩＰｖ６と、ＴＣＰと、ＵＤＰ（User Datagram Protocol）とを使用することができる。さらに、第２のネットワーク接続を、エクストラネットを介する接続にすることができる。例えば、第２のネットワーク接続を、ローカルシステム５８０からInternetサービスプロバイダ（ＩＳＰ）までの電話接続（図示せず）により、リモート溶接データストア５９４および／またはリモートサービスデータストア５９６に対して、行うことができる。もう１つの可能なネットワーク接続は、ＬＡＮを介したリモートエキスパートデータストア５９８および／またはリモートサービスデータストア５９６への接続である。ローカルシステム５８０とリモートエキスパートデータストア５９８および／またはリモートサービスデータストア５９６の間で交換される情報を、種々のフォーマットにすることができ、フォーマットには、ＨＴＭＬと、ＳＨＴＭＬと、ＶＢ（登録商標）スクリプトと、ＪＡＶＡ（登録商標）と、ＣＧＩスクリプトと、ＪＡＶＡ（登録商標）スクリプトと、dynamic ＨＴＭＬと、ＰＰＰと、ＲＰＣと、ＴＥＬＮＥＴと、ＴＣＰ／ＩＰと、ＦＴＰと、ＡＳＰと、ＸＭＬと、ＰＤＦと、ＥＤＩと、ＷＭＬその他のフォーマットのような技術を含めることができるが、これらに限定されるものではない。溶接機５１０と、関連する溶接装置（図示せず）とは、第１のネットワーク５１２および／または第２のネットワーク５８２から切り離した別のネットワーク（例えば、Arclink）を介して通信できることは、当然のことである。
【００４４】
リモートエキスパートデータストア５９８は、溶接診断に関連付けされた情報（例えば、現在のエキスパートシステムのルール、ダイヤグラム、溶接機トラブルシューティング手順、および／または溶接機ソフトウェアのアップグレード）を格納することができ、エキスパートコンポーネント５９２は、溶接診断を容易にするため、この情報を利用することができる。リモートサービスデータストア５９６は、情報（例えば、溶接機サービスレコード、溶接機部品注文情報、溶接機保証情報、および／または溶接機サービス情報）を格納することができ、エキスパートコンポーネント５９２は、溶接診断を容易にするため、この情報利用することができる。
【００４５】
図６は、本発明の一態様に係る溶接診断システム６００を示す。溶接診断システム６００には、溶接機６１０が含まれ、溶接機６１０は、ネットワークインタフェース６２２と、センサコンポーネント６１２と、制御コンポーネント６１４と、診断コンポーネント６１６と、通信コンポーネント６１８と、溶接機データストア６２４とを有する。溶接機６１０は、さらに、イベントログ６２６を含むことができる。
【００４６】
溶接機６１０およびリモートシステム６４０は、ネットワーク６８０を介して動作可能に結合してある。例えば、ネットワーク６８０は、Ethernet（登録商標）（IEEE802.3）と、ワイヤレスEthernet（登録商標）（IEEE802.11）と、ＰＰＰ（point-to-point protocol）と、point-to-multipointショートレンジＲＦ（無線周波数）と、ＷＡＰ（Wireless Application Protocol）と、Bluetooth（登録商標）と、ＩＰと、ＩＰｖ６と、ＴＣＰと、ＵＤＰ（User Datagram Protocol）とを使用することができる。リモートシステム６４０と溶接機６１０の間で交換される情報を、種々のフォーマットにすることができ、フォーマットには、ＨＴＭＬと、ＳＨＴＭＬと、ＶＢ（登録商標）スクリプトと、ＪＡＶＡ（登録商標）と、ＣＧＩスクリプトと、ＪＡＶＡ（登録商標）スクリプトと、dynamic ＨＴＭＬと、ＰＰＰと、ＲＰＣと、ＴＥＬＮＥＴと、ＴＣＰ／ＩＰと、ＦＴＰと、ＡＳＰと、ＸＭＬと、ＰＤＦと、ＥＤＩと、ＷＭＬその他のフォーマットのような技術を含めることができるが、これらに限定されるものではない。
【００４７】
センサコンポーネント６１２は、溶接機６１０の動作（例えば、電圧および／または電流レベル）、および／または溶接機６１０によって製造された溶接の特性（例えば、溶接のイメージ）に関連付けされた情報を受信するようになっている。センサコンポーネント６１２は、モニタリング装置６２０（例えば、溶接のデジタルカメラおよび／またはストリーミングビデオカメラのイメージ）、および／または試験装置６３０（例えば、抵抗計、電圧計、および／または電流計）からの情報を受信することができる。
【００４８】
制御コンポーネント６１４は、センサコンポーネント６１２からの情報を受信するようになっており、しかも溶接機６１０の診断を容易にするための試験シーケンスを、センサコンポーネント６１２から受信された情報に少なくとも部分的に基づいて、実行するようになっている。
【００４９】
診断コンポーネント６１６は、センサコンポーネント６１２および／または制御コンポーネント６１４からの情報を受信するようになっている。診断コンポーネント６１６は、さらに、溶接機６１０の内部のコンポーネントおよび／またはシステム（例えば、プリント回路基板）に関連付けされた診断情報を受信することができる。診断コンポーネント６１６は、溶接機６１０の内部のコンポーネント、および／またはシステムに対して駐在診断モードを実行することができる。センサコンポーネント６１２、制御コンポーネント６１４、および／または内部診断から受信された情報に少なくとも部分的に基づいて、診断コンポーネント６１６は、溶接機６１０の健康ステータスを判断する。溶接機の健康ステータスには、溶接機の機能および／または性能試験結果、エラーおよび／または警報に関連付けされた情報を含めることができるが、これらに限定されない。診断コンポーネント６１６は、溶接機６１０の健康ステータスに関連付けされた情報を、ネットワークインタフェース６２２を介して、リモートシステム６４０に送信することができる。さらに、診断コンポーネント６１６は、センサコンポーネント６１２と、制御コンポーネント６１４と、内部診断から又はリモートシステム６４０から受信された情報とに少なくとも部分的に基づいて、対策を開始することができる。溶接機６１０の健康ステータスに関係付けられた情報（例えば、警報および／または故障）をイベントログ６２６に格納することができる。
【００５０】
溶接機６１０は、さらに、溶接機６１０とリモートシステム６４０の間で通信を容易にする通信コンポーネント６１８を含むことができる。通信コンポーネント６１８は、溶接機の健康ステータス（例えば、警報状態）に関連付けされた情報を受信し、リモートシステム６４０によって使用するため、この情報をフォーマットすることができる（例えば、ＨＴＭＬ文書）。したがって、通信コンポーネント６１８は、溶接機の健康ステータスに関する情報をリモートシステム６４０に、本発明の範囲内の複数のフォーマットで動的に提供することができる（例えば、dynamic ＨＴＭＬ、ＲＴＦおよび／またはＡＳＣＩＩテキストを介する）。例えば、溶接機の健康ステータスに基づいて、通信コンポーネント６１８は、リモートシステム６４０に伝送するためのＨＴＭＬファイルを、（例えば、ＣＧＩスクリプト、Ｊａｖａ（登録商標）またはＪａｖａ（登録商標）スクリプトを使用して）動的に作成することができる。さらに、溶接機６１０はリモートシステム６４０と（例えば、ボイスメール、電話、email、および／またはポケットベルを介して）通信して、メンテナンスをスケジュールすることができる（例えば、溶接機の使用に基づいて行なう）。
【００５１】
溶接機データストア６２４は、溶接機６１０に関連付けされた情報（例えば、溶接機製造番号、溶接機型式番号、溶接機組付日、および／または溶接機ソフトウェアバージョン識別子）、および／または溶接機６１０のコンポーネント部品に関連付けされた情報（例えば、コンポーネント部品識別子、コンポーネントバージョン識別子、および／またはコンポーネントソフトウェアバージョン識別子）を提供することができる。溶接機６１０に関連付けされた情報であって、溶接機データストア６２４に格納された情報を、ネットワークインタフェース６２２を介して、リモートシステム６４０に伝送することができる。例えば、リモートシステム６４０は、起こりそうな溶接機の故障および／または警報の原因を判断するため、溶接機データストア６２４を、コンポーネントのプリント回路基板に関連付けされた情報についてケリーし、ソフトウェアバージョン番号を判断することができる。
【００５２】
リモートシステム６４０は、エキスパートコンポーネント６４２およびＷｅｂインタフェースコンポーネント６４６を有することができる。エキスパートコンポーネント６４２は、種々のＡＩ（artificial intelligence）技術（例えば、Bayesianモデル、確率木ネットワーク、ファジー理論、および／またはニューラルネットワーク）を使用して、少なくとも部分的に、溶接機６１０から受信された健康ステータスに基づいて、溶接診断を容易にすることができる。エキスパートコンポーネント６４２は、適応的に、そのモデリング技術をこれまでの成功に基づいて修正することができる（例えば、以前の溶接診断の成功から学習する）。Ｗｅｂインタフェースコンポーネント６４６は、リモートシステム６４０を、リモート溶接リソース（例えば、Internetを介する）および／または溶接機６１０に、動作可能に接続することができる。
【００５３】
溶接診断システム６００は、さらに、リモートエキスパートデータストア６５０および／またはリモートサービスサポートデータストア６６０を含むことができる。リモートエキスパートデータストア６５０は、溶接診断に関連付けされた情報（例えば、現在のエキスパートシステムのルール、ダイヤグラム、溶接機トラブルシューティング手順、および／または溶接機ソフトウェアのアップグレード）であって、エキスパートコンポーネント６４２がネットワーク６８０を介してアクセスすることができる情報を、溶接診断を容易にするため、格納することができる。リモートサービスサポートデータストア６６０は、エキスパートコンポーネント６４２がネットワーク６８０を介してアクセスすることができる情報（例えば、溶接機サービスレコード、溶接機部品注文情報、溶接機保証情報、および／または溶接機サービス情報）を、溶接診断を容易にするため、格納することができる。
【００５４】
図７は、本発明の一態様に係る溶接診断システム７００を示す。溶接診断システム７００には、溶接機６１０が含まれ、溶接機６１０は、ネットワークインタフェース６２２と、センサコンポーネント６１２と、制御コンポーネント６１４と、診断コンポーネント６１６と、通信コンポーネント６１８と、溶接機データストア６２４とを有する。
【００５５】
溶接機６１０およびリモートシステム６４０は、ネットワーク６８０を介して動作可能に結合してある。溶接診断システム７００は、さらに、モニタリング装置７２０および／または試験装置７３０を含み、これらを、ネットワーク６８０を介して、リモートシステム６４０および／または溶接機６１０に動作可能に結合してある。
【００５６】
センサコンポーネント６１２は、溶接機６１０の動作（例えば、電圧および／または電流レベル）、および／または溶接機６１０によって製造された溶接の特性（例えば、溶接のイメージ）に関連付けされた情報を受信するようになっている。センサコンポーネント６１２は、モニタリング装置７２０（例えば、溶接のデジタルカメラおよび／またはストリーミングビデオカメラのイメージ）、および／または試験装置７３０（例えば、抵抗計、電圧計および／または電流計）からの情報を、ネットワーク６８０を介して受信することができる。
【００５７】
制御コンポーネント６１４は、センサコンポーネント６１２からの情報を受信するようになっており、しかも、溶接機６１０の診断を容易にするための試験シーケンスを、センサコンポーネント６１２から受信された情報に少なくとも部分的に基づいて、実行するようになっている。
【００５８】
診断コンポーネント６１６は、センサコンポーネント６１２および／または制御コンポーネント６１４からの情報を受信するようになっている。診断コンポーネント６１６は、さらに、溶接機６１０の内部のコンポーネントおよび／またはシステム（例えば、プリント回路基板）に関連付けされた診断情報を受信することができる。診断コンポーネント６１６は、溶接機６１０の内部のコンポーネントおよび／またはシステムに対して、駐在診断モードを実行することができる。センサコンポーネント６１２、制御コンポーネント６１４、および／または内部診断から受信された情報に少なくとも部分的に基づいて、診断コンポーネント６１６は、溶接機６１０の健康ステータスを判断する。溶接機の健康ステータスには、溶接機の機能および／または性能試験結果と、エラーおよび／または警報に関連付けされた情報とを含めることができるが、これらに限定されない。診断コンポーネント６１６は、溶接機６１０の健康ステータスに関連付けされた情報を、ネットワークインタフェース６２２を介して、リモートシステム６４０に送信することができる。さらに、診断コンポーネント６１６は、センサコンポーネント６１２と、制御コンポーネント６１４と、内部診断から又はリモートシステム６４０から受信された情報とに少なくとも部分的に基づいて、対策を開始することができる。
【００５９】
溶接機６１０は、さらに、溶接機６１０とリモートシステム６４０の間で通信を容易にする通信コンポーネント６１８を含むことができる。通信コンポーネント６１８は、溶接機の健康ステータス（例えば、警報状態）に関連付けされた情報を受信し、リモートシステム６４０によって使用するため、この情報をフォーマットすることができる（例えば、ＨＴＭＬ文書）。したがって、通信コンポーネント６１８は、溶接機の健康ステータスに関する情報をリモートシステム６４０に、本発明の範囲内の複数のフォーマット（例えば、dynamic ＨＴＭＬ、ＲＴＦ、および／またはＡＳＣＩＩテキスト）で、動的に提供することができる。
【００６０】
リモートシステム６４０は、エキスパートコンポーネント６４２を有することができ、これは種々のＡＩ技術（例えば、Bayesianモデル、確率木ネットワーク、ファジー理論および／またはニューラルネットワーク）を使用し、溶接機６１０から受信された健康ステータスに少なくとも部分的に基づいて、溶接診断を容易にすることができる。エキスパートコンポーネント６４２は、適応的に、そのモデリング技術をこれまでの成功に基づいて修正することができる（例えば、以前の溶接診断の成功から学習する）。
【００６１】
溶接診断システム７００は、さらに、リモートエキスパートデータストア６５０および／またはリモートサービスサポートデータストア６６０を含むことができる。リモートエキスパートデータストア６５０は、溶接診断に関連付けされた情報（例えば、現在のエキスパートシステムのルール、ダイヤグラム、溶接機トラブルシューティング手順、および／または溶接機ソフトウェアのアップグレード）を格納することができ、エキスパートコンポーネント６４２は、溶接診断を容易にするため、ネットワーク６８０を介して、この情報にアクセスすることができる。リモートサービスサポートデータストア６６０は、エキスパートコンポーネント６４２がネットワーク６８０を介してアクセスする情報（例えば、溶接機サービスレコード、溶接機部品注文情報、溶接機保証情報、および／または溶接機サービス情報）を、溶接診断を容易にするため、格納することができる。
【００６２】
図８および図９は、本発明による溶接診断システムの種々の態様を提供するための方法を示す。この方法は、ブロックによって表現された動作またはプロセスのグループを備える。説明を簡略化するため、この方法を一連のブロックとして図示し説明するが、本発明はブロックの数または順序によって限定されものではない。これは、本発明に係る幾つかのブロックが、本明細書で図示され説明されたものとは異なる順序で、および／または他のブロックと同時に起こる可能性があるからであることは当然のことである。あるいはまた、当業者にとって当然のことであるが、例えば、一連の相互に関係する状態、例えば状態図として表現することができる。さらに、本発明に係る方法をインプリメントするには、必ずしも、例示したアクトを全て必要としない。
【００６３】
図８は、溶接システム診断のための方法８００を示す。ステップ８１０で、センサ入力が受信する。ステップ８２０で、センサ入力に少なくとも部分的に基づいて、試験シーケンスをパフォームする。ステップ８３０で、内部コンポーネントおよび／またはシステムに対して、診断を実行する。ステップ８４０で、いずれかの警報および／または故障状態が存在するかどうかを判断する。仮にステップ８４０において存在しないと判断した場合には、さらなる処理は発生しない。仮にステップ８４０において存在すると判断した場合には、ステップ８５０で、警報および／または故障イベントを（例えば、イベントログに）記録する。ステップ８６０で、警報および／または故障状態に関するメッセージを（例えば、ボイスメール、電話、email、および／またはポケットベルにより）リモートシステムに送信する。
【００６４】
図９は、溶接システム診断のための方法９００を示す。ステップ９１０で、センサ入力を受信する。ステップ９２０で、情報を、試験装置および／またはモニタリング装置から受信する。ステップ９３０で、情報を、溶接機から受信する。ステップ９４０で、診断を、センサ入力、試験装置、および／またはモニタリング装置から受信された情報と、溶接機から受信された情報とに少なくとも部分的に基づいて、行う。ステップ９５０で、溶接機の健康ステータスに関する情報を（例えば、ローカルシステムおよび／またはリモートシステムに）送信する。次に、ステップ９６０で、警報および／または故障状態が存在するかどうかを判断する。仮にステップ９６０において存在しないと判断した場合には、さらなる処理は発生しない。仮にステップ９６０において存在すると判断した場合には、ステップ９７０で、対策を開始する。
【００６５】
以上、本発明の種々の態様を説明した。言うまでもなく、本発明を説明するためのコンポーネントまたは方法の考えられるあらゆる組み合わせを説明することが可能でないが、本発明の多数のさらなる組み合わせと置換が可能であることは、当業者にとって当然のことである。したがって、本発明は、特許請求の精神および範囲を逸脱しない、あらゆる変更と、修正と、変形形態を包含するものである。
【図面の簡単な説明】
【００６６】
【図１】本発明の一態様に係る溶接診断システムのブロック図である。
【図２】本発明の一態様に係る溶接診断システムのブロック図である。
【図３】本発明の一態様により生成された、シミュレートされたエラーおよび／または警報を表にして示す図である。
【図４】本発明の一態様に係るユーザインタフェースのシミュレートされたスクリーンショットの図である。
【図５】本発明の一態様に係る溶接診断システムのブロック図である。
【図６】本発明の一態様に係る溶接診断システムのブロック図である。
【図７】本発明の一態様に係る溶接診断システムのブロック図である。
【図８】本発明の一態様に係る溶接診断を提供するための方法を例示する流れ図である。
【図９】本発明の一態様に係る溶接診断を提供するための方法を例示する流れ図である。
【図１】
2005515894.tif 000003
【図２】
2005515894.tif 000004
【図３】
2005515894.tif 000005
【図４】
2005515894.tif 000006
【図５】
2005515894.tif 000007
【図６】
2005515894.tif 000008
【図７】
2005515894.tif 000009
【図８】
2005515894.tif 000010
【図９】
2005515894.tif 000011
【国際調査報告】
2005515894.tif 000012